(57)【特許請求の範囲】
【請求項１】
開閉機本体から突出するハンドル軸を有し、このハンドル軸を巻上方向に回転させることで出力軸を回転させ、巻き取りドラムを回転させてシャッターを巻き上げるように構成されたシャッター開閉機の巻上装置であって、
少なくともモータと出力軸とを有する巻上装置本体と、
この巻上装置本体を前記開閉機本体に脱着可能にかつ支持された状態に取り付けるための取付部材と、
この取付部材により前記巻上装置本体が前記開閉機本体に支持された状態に取り付けられたとき前記巻上装置本体の出力軸と前記ハンドル軸とを動力伝達可能に連結するシャフト連結部材とを備えたことを特徴とするシャッター開閉機の巻上装置。
【請求項２】
前記取付部材は、前記巻上装置本体に取り付けられた巻上装置側取付部材と、前記開閉機本体に脱着可能に取り付けられる開閉機側取付部材とを有し、前記巻上装置側取付部材と前記開閉機側取付部材とは、互いに嵌合した状態で結合される構成になっていることを特徴とする請求項１記載のシャッター開閉機の巻上装置。
【請求項３】
前記巻上装置側取付部材は、前記巻上装置本体にねじ止めにより脱着可能に取り付けられる奥壁部と、この奥壁部の左右両側縁からそれぞれ前記開閉機本体側に突出する左右一対の側壁部と、この各側壁部の上縁部がそれぞれ互いに向き合う側に折り曲がってなる左右２つの折り曲げ部とを有しており、
前記開閉機側取付部材は、前記ハンドル軸及び前記シャフト連結部材が貫通可能な大きさの開口部を有する前壁部と、この前壁部の左右両側縁からそれぞれ前記開閉機本体側に突出する左右一対の側壁部と、この各側壁部の先端部がそれぞれ互いに向き合う側と反対側に折り曲がってなり、前記開閉機本体にねじ止めにより脱着可能に取り付けられる左右２つのフランジ部とを有しており、
前記巻上装置側取付部材と前記開閉機側取付部材とは、前記巻上装置側取付部材の左右一対の前記側壁部及び左右２つの前記折り曲げ部の内側に対し、前記開閉機側取付部材の前記前壁部及び左右一対の前記側壁部が嵌合した状態で前記巻上装置側取付部材と前記開閉機側取付部材との間に設けられいるねじ止め又はロック部材により結合される構成になっていることを特徴とする請求項２記載のシャッター開閉機の巻上装置。
【発明の詳細な説明】
【技術分野】
【０００１】
本発明は、火災時に閉鎖動作をして火災の延焼を防止するための防火シャッターに装備されるシャッター開閉機の巻上装置に関する。
【背景技術】
【０００２】
一般に、防火シャッターは、例えば特許文献１に記載されているように、火災時に発生する熱や煙などを感知するセンサと、図１６にも示すようにシャッター開閉機１００の上面などに取り付けられた自動閉鎖装置１０１とを備える。そして、火災時にセンサなどからの火災信号が自動閉鎖装置１０１に入力されると自動閉鎖装置１０１内のソレノイドが作動してシャッター開閉機１００のブレーキレバー１０２を解除側に操作することにより、シャッターを自重により下降させて室内空間などの閉鎖を行い、火災の延焼を防止し得るようになっている。
【０００３】
シャッター開閉機１００としては、電動機を内蔵し、シャッターの巻上動作及び下降動作を電動機で行うようにした電動式シャッター開閉機と、巻上用の電動機を内蔵しない手動式シャッター開閉機とがある。後者つまり手動式シャッター開閉機の場合、図１６に示すように、シャッター開閉機１００は、通常、開閉機本体１０３から突出するハンドル軸１０４を有している。そして、このハンドル軸１０４にクランクハンドル１０５の一端部を装着し、このクランクハンドル１０５を用いてハンドル軸１０４を巻上方向に回転させることで出力軸１０６を回転させ、図示していない巻き取りドラムを回転させてシャッターを巻き上げるようになっている。
【先行技術文献】
【特許文献】
【０００４】
【特許文献１】特開２００３−１０６０７４号公報
【発明の概要】
【発明が解決しようとする課題】
【０００５】
ところが、従来のようにクランクハンドル１０５を用いてハンドル軸１０４を回転させる方法では、シャッターを閉鎖状態から上限位置にまで巻き上げるのに時間が長くかかる。このため、シャッター点検時には、電気ドリルにハンドル軸回転用のアタッチメントを取り付けて、シャッターの巻上を行うことがある。
【０００６】
しかし、このような巻上方法では、危険がある。すなわち、シャッター開閉機１００が巻き取りドラムの両端のいずれにあるかによって巻上方向の回転方向が逆になるが、このことを認識せずに電気ドリルを用いると反動を受けて負傷するおそれがある。このため、現実にはシャッター作業従事者以外の人が操作することは困難である。
【０００７】
また、人が電気ドリルを用いてシャッターの巻上を行う間は常に電気ドリルを持ち続ける必要があるため、多くのシャッターを短時間で点検する場合、それ相応の人手が必要になるという問題もある。
【０００８】
本発明はかかる諸点に鑑みてなされたものであり、その課題は、シャッター作業従事者以外の人でも安全にかつ迅速にシャッターを巻き上げることができ、また同時に複数のシャッターの点検作業に取りかかることができ、人的問題を軽減できるシャッター開閉機の巻上装置を提供することにある。
【課題を解決するための手段】
【０００９】
前記の課題を解決するため、本発明は、シャッター開閉機として、開閉機本体から突出するハンドル軸を有し、このハンドル軸を巻上方向に回転させることで出力軸を回転させ、巻き取りドラムを回転させてシャッターを巻き上げるように構成されていることを前提とする。そして、このシャッター開閉機の巻上装置として、少なくともモータと出力軸とを有する巻上装置本体と、この巻上装置本体を前記開閉機本体に脱着可能にかつ支持された状態に取り付けるための取付部材と、この取付部材により前記巻上装置本体が前記開閉機本体に支持された状態に取り付けられたとき前記巻上装置本体の出力軸と前記ハンドル軸とを動力伝達可能に連結するシャフト連結部材とを備える構成にする。
【００１０】
この構成により、本発明のシャッター開閉機の巻上装置では、シャッター点検時に巻上装置本体が開閉機本体に取付部材を介して脱着可能にかつ支持された状態に取り付けられ、巻上装置本体のモータの動力がシャフト連結部材を介してシャッター開閉機のハンドル軸に伝達され、シャッターの巻上動作が行われる。このため、仮にモータの回転方向をシャッターの巻上方向と反対側に間違って操作したときでも作業者が反動を受けて負傷することはない。このことから、シャッター作業従事者以外の人でも安全にかつ迅速にシャッターを巻き上げることができる。また、巻上装置本体を開閉機本体に支持された状態に取り付け、モータの回転操作をすれば手が離せるので、同時に複数のシャッターの点検作業に取りかかることができ、人的問題を軽減することができる。
【００１１】
ここで、本発明は、前記取付部材が、前記巻上装置本体に取り付けられた巻上装置側取付部材と、前記開閉機本体に脱着可能に取り付けられる開閉機側取付部材とを有し、前記巻上装置側取付部材と前記開閉機側取付部材とが、互いに嵌合した状態で結合される構成になっていることが好ましい。この場合、巻上装置本体を開閉機本体に取り付けるときには、開閉機本体に開閉機側取付部材を取り付け、この開閉機側取付部材と、予め巻上装置本体に取り付けられた巻上装置側取付部材とを、互いに嵌合した状態で結合することにより、巻上装置本体を開閉機本体に容易に取り付けることができる。また、巻上装置本体を開閉機本体から取り外すときには、先ず初めに、巻上装置側取付部材と開閉機側取付部材の結合を解除するとともに、前記両取付部材の嵌合状態を巻上装置側取付部材の引き抜きにより解除する。その後、開閉機本体から開閉機側取付部材を取り外す。以上の作業手順によって、巻上装置本体を開閉機本体から容易に取り外すことができ、別のシャッターの点検作業のための巻上装置の取付作業に移行することができる。
【００１２】
また、前記巻上装置側取付部材及び前記開閉機側取付部材のより具体的な形態は、以下の通りである。すなわち、前記巻上装置側取付部材は、前記巻上装置本体にねじ止めにより脱着可能に取り付けられる奥壁部と、この奥壁部の左右両側縁からそれぞれ前記開閉機本体側に突出する左右一対の側壁部と、この各側壁部の上縁部がそれぞれ互いに向き合う側に折り曲がってなる左右２つの折り曲げ部とを有している。前記開閉機側取付部材は、前記ハンドル軸及び前記シャフト連結部材が貫通可能な大きさの開口部を有する前壁部と、この前壁部の左右両側縁からそれぞれ前記開閉機本体側に突出する左右一対の側壁部と、この各側壁部の先端部がそれぞれ互いに向き合う側と反対側に折り曲がってなり、前記開閉機本体にねじ止めにより脱着可能に取り付けられる左右２つのフランジ部とを有している。そして、前記巻上装置側取付部材と前記開閉機側取付部材とは、前記巻上装置側取付部材の左右一対の前記側壁部及び左右２つの前記折り曲げ部の内側に対し、前記開閉機側取付部材の前記前壁部及び左右一対の前記側壁部が嵌合した状態で前記巻上装置側取付部材と前記開閉機側取付部材との間に設けられているねじ止め又はロック部材により結合される構成になっている。
【発明の効果】
【００１３】
本発明のシャッター開閉機の巻上装置によれば、シャッター作業従事者以外の人でも安全にかつ迅速にシャッターを巻き上げることができる。また、巻上装置本体を開閉機本体に取り付け、モータの回転操作をすれば手が離せるので、同時に複数のシャッターの点検作業に取りかかることができ、人的問題を軽減することができるという効果を奏する。
【図面の簡単な説明】
【００１４】
【図１】図１は本発明の第１の実施形態に係るシャッター開閉機の巻上装置の一部切開側面図であって、巻上装置をシャッター開閉機に取り付けたときの状態を示す。
【図２】図２は前記巻上装置の一部切開平面図であって、巻上装置をシャッター開閉機に取り付けたときの状態を示す。
【図３】図３は前記巻上装置の一部切開側面図であって、巻上装置をシャッター開閉機に取り付ける前の状態を示す。
【図４】図４は前記巻上装置の一部切開平面図であって、巻上装置をシャッター開閉機に取り付ける前の状態を示す。
【図５】図５は前記巻上装置の縦断側面図である。
【図６】図６は前記巻上装置の斜視図である。
【図７】図７は前記シャッター開閉機のハンドル軸付近の斜視図である。
【図８】図８Ａ〜図８Ｄは前記巻上装置の一構成部材である取付部材の巻上装置側取付部材を示し、図８Ａは正面図、図８Ｂは背面図、図８Ｃは平面図、図８Ｄは図８ＡのＸ−Ｘ線における断面図である。
【図９】図９Ａ〜図９Ｃは前記取付部材の開閉機側取付部材を示し、図９Ａは正面図、図９Ｂは右側面図、図９Ｃは平面図である。
【図１０】図１０Ａ〜図１０Ｃは前記巻上装置の一構成部材であるシャフト連結部材を示し、図１０Ａは平面図、図１０Ｂは図１０ＡのＹ−Ｙ線における断面図、図１０Ｃは図１０ＢのＺ方向から見た矢視図である。
【図１１】図１１は本発明の第２の実施形態を示す図１相当図である。
【図１２】図１２は本発明の第２の実施形態を示す図３相当図である。
【図１３】図１３は図１１に示す巻上装置の一構成部材である取付部材の巻上装置側取付部材と開閉機側取付部材とを結合するロック部材のロック状態を示す一部切開平面図である。
【図１４】図１４は前記ロック部材のロック開放状態を示す平面図である。
【図１５】図１５は図１４のＧ−Ｇ線に沿って見た矢視図である。
【図１６】図１６は従来の手動式シャッター開閉機の側面図である。
【発明を実施するための形態】
【００１５】
以下、本発明を実施するための形態である実施形態を図面に基づいて説明する。
【００１６】
図１ないし図４は本発明の第１の実施形態に係るシャッター開閉機１００の巻上装置１を示す。シャッター開閉機１００は、巻上装置１を備えること以外、背景技術の項で図１６を用いて述べた従来の手動式シャッター開閉機の場合と同様な構成になっている。なお、以下の説明では、シャッター開閉機１００及び巻上装置１をその軸方向と直交する方向に見てシャッター開閉機１００側を前方Ｆといい、巻上装置１側を後方Ｂという。
【００１７】
すなわち、シャッター開閉機１００は、開閉機本体１０３から突出するハンドル軸１０４を有し、このハンドル軸１０４を巻上方向に回転させることで出力軸１０６（図１６参照）を回転させ、シャッターを巻き上げるように構成されている。また、シャッター開閉機１００は、ブレーキ装置を内蔵するとともに、ブレーキレバー１０２を有している。そして、シャッター開閉機１００の上面などに取り付けられた自動閉鎖装置１０１（図１６参照）によりブレーキレバー１０２が解除側に操作されるとブレーキ装置の制動を解除して、シャッターを自重により降下させるようになっている。
【００１８】
巻上装置１は、動力部としての巻上装置本体１０と、巻上装置本体１０を開閉機本体１０３に脱着可能に取り付けるための取付部材２０と、取付部材２０により巻上装置本体１０が開閉機本体１０３に取り付けられたとき巻上装置本体１０の後述する出力軸１３とハンドル軸１０４とを動力伝達可能に連結するシャフト連結部材４０とを備えている。
【００１９】
巻上装置本体１０は、図５に示すように、モータ１１と、モータ１１の出力トルクを増大するための減速機１２と、出力軸１３とを有している。減速機１２は、モータ１１の回転軸１１ａの一端部に形成された駆動ギヤ１４と、駆動ギヤ１４と噛み合う従動ギヤ１５とを有しており、従動ギヤ１５の歯数は、駆動ギヤ１４の歯数の数倍から十数倍に設定されている。従動ギヤ１５には出力軸１３の一端部が貫通して固定されている。出力軸１３の他端部は、ハウジング１６外に突出しており、出力軸１３の他端部の外周面には軸方向に直線状に延びる１つ又は複数の凹溝１７が設けられている。なお、モータ１１の動作は、図示していないが、制御ユニットにより制御されるようになっており、この制御ユニットには、操作部としての押しボタンスイッチ又は無線機の信号が入力される。
【００２０】
図１及び図２に示すように、取付部材２０は、巻上装置本体１０に取り付けられた巻上装置側取付部材２１と、開閉機本体１０３に脱着可能に取り付けられる開閉機側取付部材２２とを有し、巻上装置側取付部材２１と開閉機側取付部材２２とは、互いに嵌合した状態で結合される構成になっている。この構成を詳しく説明すると、以下の通りである。
【００２１】
すなわち、巻上装置側取付部材２１は、図６及び図８にも示すように、巻上装置本体１０にねじ止めにより脱着可能に取り付けられる奥壁部２１ａと、奥壁部２１ａの左右両側縁からそれぞれ開閉機本体１０３側つまり前方Ｆに略直角に突出する左右一対の側壁部２１ｂ，２１ｂと、各側壁部２１ｂの上縁部がそれぞれ互いに向き合う側（内側）に略直角に折り曲がってなる左右２つの折り曲げ部２１ｃ，２１ｃとを有している。
【００２２】
奥壁部２１ａは、上下方向に長い矩形枠状に形成されており、この奥壁部２１ａの４つの隅角部にはそれぞれ貫通孔２４が設けられている。そして、各貫通孔２４にねじ２３を通して巻上装置本体１０側にねじ２３をねじ込むことにより、奥壁部２１ａが巻上装置本体１０に脱着可能に取り付けられている。
【００２３】
奥壁部２１ａを巻上装置本体１０に取り付けるに当たっては、奥壁部２１ａの上部側に上部取付プレート２５の一部分が、奥壁部２１ａの下部側に下部取付プレート２６の一部分がそれぞれ巻上装置本体１０の前端面１０ａと奥壁部２１ａとの間に挟まれた状態でねじ２３により奥壁部２１ａと一緒に共止めされている。
【００２４】
上部取付プレート２５は、巻上装置本体１０の前端面１０ａの上部と奥壁部２１ａの上部との間に挟まれた状態でねじ２３により奥壁部２１ａと一緒に共止めされた垂直ねじ止め部２５ａと、垂直ねじ止め部２５ａの上縁部から後方Ｂに略直角に折り曲げてなる水平ねじ止め部２５ｂと、水平ねじ止め部２５ｂの垂直ねじ止め部２５ａと反対側の端部から上方に略直角に折り曲げてなる把手部２５ｃとを有している。水平ねじ止め部２５ｂは、複数箇所（図では２箇所）でそれぞれねじ止めにより巻上装置本体１０の上面に固定されている。把手部２５ｃは、巻上装置本体１０を持ち上げるとき握り易くするために、横方向に長い矩形状の開口部２８と、開口部２８の上縁部を後方Ｂに略直角に折り曲げてなるフランジ部２９とを有している。
【００２５】
下部取付プレート２６は、巻上装置本体１０の前端面１０ａの下部と奥壁部２１ａの下部との間に挟まれた状態でねじ２３により奥壁部２１ａと一緒に共止めされた垂直ねじ止め部２６ａと、垂直ねじ止め部２６ａの下縁部から後方Ｂに略直角に折り曲げてなる水平ねじ止め部２６ｂとを有している。水平ねじ止め部２６ｂは、複数箇所（例えば２箇所）でそれぞれねじ止めにより巻上装置本体１０の下面に固定されている。
【００２６】
巻上装置側取付部材２１の各側壁部２１ｂは、上縁側に２つの直角な角部を有する略直角台形状に形成されている。各側壁部２１ｂの上縁部は、その先端側部分が基端側部分よりも一段低い段差状に形成されており、この先端側部分に折り曲げ部２１ｃが形成されている。また、各側壁部２１ｂには、折り曲げ部２１ｃの長手方向中間部の下方位置に対応して貫通孔３１が設けられているとともに、折り曲げ部２１ｃの基端側端部の下方位置に対応してねじ孔３２が設けられている。各側壁部２１ｂの外面には貫通孔３１よりも小径のねじ孔を有するナット３３が貫通孔３１に対応して溶接などにより固着されている。ナット３３には蝶ボルト３４がねじ込まれるようになっており、ねじ孔３２には通常のボルト３５がねじ込まれるようになっている。
【００２７】
一方、開閉機側取付部材２２は、図７及び図９にも示すように、横方向に長い矩形状の前壁部２２ａと、前壁部２２ａの左右両側縁からそれぞれ開閉機本体１０３側つまり前方Ｆに突出する左右一対の側壁部２２ｂ，２２ｂと、各側壁部２２ｂの先端部がそれぞれ互いに向き合う側と反対側に折り曲がってなる左右２つのフランジ部２２ｃ，２２ｃとを有している。前壁部２２ａは、その中央部にハンドル軸１０４及びシャフト連結部材４０が貫通可能な大きさの円形の開口部３６を有している。
【００２８】
各側壁部２２ｂの中央部には、巻上装置側取付部材２１の各側壁部２１ｂの貫通孔３１及びナット３３に対応して、ナット３３のねじ孔と同一径のねじ孔３７が設けられている。また、各フランジ部２２ｃの中央部には貫通孔３８が設けられ、この貫通孔３８にねじ３９を通して開閉機本体１０３側にねじ３９をねじ込むことにより、各フランジ部２２ｃが開閉機本体１０３に脱着可能に取り付けられている。
【００２９】
そして、巻上装置側取付部材２１と開閉機側取付部材２２とは、図１及び図２に示すように、巻上装置側取付部材２１の左右一対の側壁部２１ｂ，２１ｂ及び左右２つの折り曲げ部２１ｃ，２１ｃの内側に対し、開閉機側取付部材２２の前壁部２２ａ及び左右一対の側壁部２２ｂ，２２ｂが嵌合した状態で巻上装置側取付部材２１の各側壁部２１ｂのナット３３のねじ孔及び開閉機側取付部材２２の各側壁部２２ｂのねじ孔３７にそれぞれ蝶ボルト３４をねじ込むこと（つまりねじ止め）により結合される構成になっている。この構成では、巻上装置側取付部材２１の左右２つの折り曲げ部２１ｃ，２１ｃと開閉機側取付部材２２の左右一対の側壁部２２ｂ，２２ｂの上縁部との接触により巻上装置１の重量が支持される。また、前記の接触は、巻上装置側取付部材２１と開閉機側取付部材２２とを嵌合するとき又はその嵌合を解除するときガイド機能をも発揮する。なお、巻上装置側取付部材２１の各側壁部２１ｂのねじ孔３２にねじ込まれたボルト３５は、巻上装置側取付部材２１と開閉機側取付部材２２とを嵌合するときのストッパー機能を発揮するものである。
【００３０】
シャフト連結部材４０は、図１０にも示すように、中空管からなり、シャフト連結部材４０の一端部には、巻上装置本体１０の出力軸１３の凹溝１７に対応して、２つのねじ孔４１，４１が軸方向に沿って並んで設けられている一方、シャフト連結部材４０の他端部には、他端面から軸方向に延びる２つのスリット４２，４２が軸心を挟んだ状態で設けられている。そして、シャフト連結部材４０の一端部は、巻上装置本体１０の出力軸１３に嵌合した状態で１つのねじ孔４１にねじ４３をねじ込んでねじ４３の先端部を凹溝１７に挿入することにより出力軸１３に回転一体に連結されている。また、取付部材２０により巻上装置本体１０が開閉機本体１０３に取り付けられたとき、図１及び図２に示すように、シャフト連結部材４０の２つのスリット４２，４２に対し、ハンドル軸１０４に貫通して設けたピン４４の両端部が嵌まり込むことにより、シャフト連結部材４０とハンドル軸１０４とが回転一体に連結される。よって、取付部材２０により巻上装置本体１０が開閉機本体１０３に取り付けられたとき、巻上装置本体１０の出力軸１３とハンドル軸１０４とは、シャフト連結部材４０により動力伝達可能に連結される。
【００３１】
次に、前記第１の実施形態の作用効果について説明するに、シャッター点検時には、巻上装置本体１０が開閉機本体１０３に取付部材２０を介して脱着可能に取り付けられ、巻上装置本体１０のモータ１１の動力がシャフト連結部材４０を介してシャッター開閉機１００のハンドル軸１０４に伝達され、シャッターの巻上動作が行われる。このため、仮にモータ１１の回転方向を巻上方向と反対側に間違って操作したときでも作業者が反動を受けて負傷することはない。このことから、シャッター作業従事者以外の人でも安全にかつ迅速にシャッターを巻き上げることができる。
【００３２】
また、巻上装置本体１０を開閉機本体１０３に取り付け、押しボタンスイッチ又は無線機でモータ１１の回転操作をすれば手が離せるので、同時に複数のシャッターの点検作業に取りかかることができ、人的問題を軽減することができる。なお、モータ１１の回転は、制御ユニットの内蔵タイマーなどにより自動的に停止するようになっている。
【００３３】
特に、本実施形態の場合、取付部材２０は、巻上装置本体１０に取り付けられた巻上装置側取付部材２１と、開閉機本体１０３に脱着可能に取り付けられる開閉機側取付部材２２とを有し、巻上装置側取付部材２１と開閉機側取付部材２２とは、互いに嵌合した状態で結合される構成になっている。この構成では、巻上装置本体１０を開閉機本体１０３に取り付けるときには、開閉機本体１０３に開閉機側取付部材２２を取り付け、この開閉機側取付部材２２と、予め巻上装置本体１０に取り付けられた巻上装置側取付部材２１とを、互いに嵌合した状態で結合することにより、巻上装置本体１０を開閉機本体１０３に容易に取り付けることができる。また、巻上装置本体１０を開閉機本体１０３から取り外すときには、先ず初めに、巻上装置側取付部材２１と開閉機側取付部材２２の結合を解除するとともに、両取付部材２１，２２の嵌合状態を巻上装置側取付部材２１の引き抜きにより解除する。その後、開閉機本体１０３から開閉機側取付部材２２を取り外す。以上の作業手順によって、巻上装置本体１０を開閉機本体１０３から容易に取り外すことができ、別のシャッターの点検作業のための巻上装置１の取付作業に移行することができる。
【００３４】
図１１及び図１２は本発明の第２の実施形態に係るシャッター開閉機１００の巻上装置２を示す。巻上装置２の基本的構成は、第１の実施形態における巻上装置１のそれと同じであり、同一部材には同一符号を付してその説明は省略する。
【００３５】
巻上装置２において、第１の実施形態における巻上装置１と異なる点は、巻上装置側取付部材２１の一部構成と、この巻上装置側取付部材２１と開閉機側取付部材２２とをロック部材５０により結合する構成にしたことである。
【００３６】
すなわち、巻上装置側取付部材２１の各側壁部２１ｂには、図１３ないし図１５にも示すように、巻上装置側取付部材２１の内側に開閉機側取付部材２２を嵌め込んだとき開閉機側取付部材２２の前壁部２２ａに接触して位置決めをするストッパー６１が設けられている。また、巻上装置側取付部材２１の左右一対の側壁部２１ｂ，２１ｂ間には左右方向に延びる横部材６２が架設されており、横部材６２は、ストッパー６１よりも所定寸法奥壁部２１ａ側の位置でかつ折り曲げ部２１ｃよりも若干低い高さ位置に設けられている。
【００３７】
一方、ロック部材５０は、一方向に長い部材であり、その長手方向と直交する断面形状は、逆Ｕ字状に形成されている。ロック部材５０の一対の壁部５０ａ，５０ｂのうち、一方の壁部５０ａの長手方向の長さは、他方の壁部５０ｂの長手方向の長さと比べて所定寸法長く設定されており、長い方の壁部５０ａの長手方向の一端は、短い方の壁部５０ｂの長手方向の一端よりも突出している。そして、長い方の壁部５０ａの長手方向の一端部は、支軸５１を介して横部材６２に回動可能に支持されている。また、巻上装置側取付部材２１の内側に開閉機側取付部材２２を嵌め込んだ状態でロック部材５０を支軸５１回りに横倒し位置にまで倒すと、図１１及び図１３に示すように、ロック部材５０により横部材６２と開閉機側取付部材２２の前壁部２２ａとが挟持され、この両部材６２，２２ひいては巻上装置側取付部材２１と開閉機側取付部材２２とが結合されるようになっている。
【００３８】
なお、第２の実施形態の場合、ロック部材５０により巻上装置側取付部材２１と開閉機側取付部材２２とを結合する構成にしたことから、第１の実施形態のようなねじ止めのためのナット３３や蝶ボルト３４などは設けられていない。また、図１１、図１２及び図１５中、７１は巻上装置側取付部材２１の各側壁部２１ｂの先端側下縁部に互いに向き合う側に突出して形成された突出部であって、この突出部７１は、巻上装置側取付部材２１の内側に開閉機側取付部材２２を嵌め込む際に開閉機側取付部材２２を下方から支える機能を有する。
【００３９】
そして、前記第２の実施形態においては、第１の実施形態の場合と同様な作用効果を奏することができる上、巻上装置側取付部材２１の内側に開閉機側取付部材２２を嵌め込んだ状態で両取付部材２１，２２の結合及びその解除をロック部材５０の回動操作により容易に行うことができ、作業の容易化及び迅速化により寄与することができる。
【００４０】
なお、本発明は前記第１及び第２の実施形態に限定されるものではなく、その他種々の形態を包含するものである。例えば前記各実施形態では、ブレーキレバー１０２が開閉機本体１０３の外部に配置される場合について述べたが、本発明は、ブレーキレバー１０２が開閉機本体１０２に内蔵される場合にも同様に適用することができる。
【００４１】
また、前記第１の実施形態では、巻上装置側取付部材２１の側壁部２１ｂと開閉機側取付部材２２の側壁部２２ｂとをねじ止めにより結合するに当たり、巻上装置側取付部材２１の側壁部２１ｂに貫通孔３１を設けるとともに、側壁部２１ｂの外面に、貫通孔３１よりも小径のねじ孔を有するナット３３を固定した。本発明は、これに限らず、巻上装置側取付部材２１の側壁部２１ｂにねじ孔を設け、ナット３３を省略するようにしてもよい。また、ナット３３又はねじ孔にねじ込むボルトとしては、前記第１の実施形態のような蝶ボルト３４に限らず、通常のボルトを用いてもよいのは言うまでもない。
【００４２】
さらに、巻上装置本体１０を開閉機本体１０３に脱着可能に取り付けるための取付部材２０としては、前記実施形態のように、巻上装置本体１０に取り付けられた巻上装置側取付部材２１と、開閉機本体１０３に脱着可能に取り付けられる開閉機側取付部材２２とを有する場合に限らず、両取付部材２１，２２が一体的に構成される場合でもよい。また、巻上装置本体１０は、少なくともモータ１１と出力軸１３とを有していればよい。
【００４３】
１    巻上装置
１０    巻上装置本体
１１    モータ
１３    出力軸
２０    取付部材
２１    巻上装置側取付部材
２１ａ  奥壁部
２１ｂ  側壁部
２１ｃ  折り曲げ部
２２    開閉機側取付部材
２２ａ  前壁部
２２ｂ  側壁部
２２ｃ  フランジ部
３３    ナット
３４    蝶ボルト
３６    開口部
３７    ねじ孔
４０    シャフト連結部材
５０    ロック部材
１００    シャッター開閉機
１０３    開閉機本体
１０４    ハンドル軸
１０６    出力軸
【要約】
【課題】シャッター作業従事者以外の人でも安全にかつ迅速にシャッターを巻き上げることができ、また同時に複数のシャッターの点検作業に取りかかることができ、人的問題を軽減できるシャッター開閉機の巻上装置を提供する。
【解決手段】シャッター開閉機１００は、開閉機本体１０３から突出するハンドル軸１０４を有し、ハンドル軸１０４を巻上方向に回転させることでシャッターを巻き上げるように構成されている。シャッター開閉機１００の巻上装置１は、少なくともモータと出力軸１３とを有する巻上装置本体１０と、巻上装置本体１０を開閉機本体１０３に脱着可能に取り付けるための取付部材２０と、取付部材２０により巻上装置本体１０が開閉機本体１０３に取り付けられたとき巻上装置本体１０の出力軸１３とハンドル軸１０４とを動力伝達可能に連結するシャフト連結部材４０とを備える。
【選択図】図１【図１】
0006018719.tif 000002
【図２】
0006018719.tif 000003
【図３】
0006018719.tif 000004
【図４】
0006018719.tif 000005
【図５】
0006018719.tif 000006
【図６】
0006018719.tif 000007
【図７】
0006018719.tif 000008
【図８】
0006018719.tif 000009
【図９】
0006018719.tif 000010
【図１０】
0006018719.tif 000011
【図１１】
0006018719.tif 000012
【図１２】
0006018719.tif 000013
【図１３】
0006018719.tif 000014
【図１４】
0006018719.tif 000015
【図１５】
0006018719.tif 000016
【図１６】
0006018719.tif 000017